(57)【要約】【課題】本発明は、防湿性を確保するとともに表示エリアの配置位置の自由度を高め、信頼性を向上させた表示装置を提供する。【解決手段】本発明の電気泳動表示装置は、電気泳動表示パネル２と、電気泳動表示パネル２の表示面側に配置される第１フレーム５１と、電気泳動表示パネル２の第１フレーム５１とは反対側に配置される第２フレーム５２と、を有する保護フレーム５と、少なくとも第１フレーム５１および第２フレーム５２の電気泳動表示パネル２側の内面にそれぞれ設けられる防湿層５５，５６と、を備えている。【選択図】図１
2011180361.tif 000002
【特許請求の範囲】
【請求項１】
表示パネルと、
前記表示パネルの表示面側に配置される第１フレームと、前記表示パネルの前記第１フレームとは反対側に配置される第２フレームと、を有する保護ケースと、
少なくとも前記第１フレームおよび前記第２フレームの前記表示パネル側の内面にそれぞれ設けられる防湿層と、を備えたことを特徴とする表示装置。
【請求項２】
前記防湿層が、前記第１フレームおよび前記第２フレームの外面にそれぞれ設けられていることを特徴とする請求項１記載の表示装置。
【請求項３】
前記防湿層が蒸着膜からなることを特徴とする請求項１または２記載の表示装置。
【請求項４】
前記防湿層が、前記保護ケースの封止空間内に配置される前記表示パネルおよび当該表示パネルに接続される駆動回路基板の全体を覆うようにして形成されていることを特徴とする請求項１から３のいずれか一項に記載の表示装置。
【請求項５】
前記保護ケースの外面全体に前記防湿層が形成されていることを特徴とする請求項１から４のいずれか一項に記載の表示装置。  
【請求項６】
前記防湿層の水分透過レベルを０．１ｇ／ｍ２・２４Ｈ（４０℃／９０％）以下とすることを特徴とする請求項１から５のいずれか一項に記載の表示装置。
【請求項７】
前記表示パネルが一対の基板間に電気泳動層を挟持してなる電気泳動表示パネルであることを特徴とする請求項１から６のいずれか一項に記載の表示装置。
【発明の詳細な説明】
【技術分野】
【０００１】
本発明は、表示装置に関するものである。
【背景技術】
【０００２】
従来の電気泳動表示機能を有するＩＣカードの構造としては、一般的に、防湿シートで電気泳動デバイスを覆った電気泳動表示モジュールをカードフレーム（保護ケース）の中に入れたものや、カードフレーム内の空間に敷居を設けて防湿性を有した樹脂でモールドした構造が知られている。
【先行技術文献】
【特許文献】
【０００３】
【特許文献１】特開２００５−３０１７９５号公報
【発明の概要】
【発明が解決しようとする課題】
【０００４】
電気泳動表示モジュールにはフレキシブル基板を介して集積回路基板が接続されている。このため、カードフレーム内に表示デバイス以外の周辺回路を搭載する場合、周辺回路それぞれのデバイスが信頼性を有した形態で構成しなくてはならず、周辺回路が大きくなる。また、信頼性がこの部品やデバイスより異なり、製品寿命がばらつくといった問題があった。
【０００５】
さらに、図６（ａ）に示すように、上下の防湿層９１，９２の周辺部からの水分進入を防止するために十分な封止幅が必要になる。図６（ｂ）に示すように、防湿層９１，９２の封止部分は非表示エリア８になるため、防湿性を十分に確保するために封止幅Ｗが大きくなってしまうと、カードにおける表示部（電気泳動表示モジュール９０）の配置位置の制限や表示エリア７が小さくなるといった問題があった。
【０００６】
また、電気泳動表示モジュールを樹脂でモールドする構造の場合、耐湿性が高く柔軟性があり信頼性を有する防湿樹脂がなく、実際は、曲げ試験等をクリアさせるために防湿性に不十分な樹脂を使っているという現状がある。さらに、電気泳動表示モジュールの下面側（表示面とは反対側）からの水分進入をモールド樹脂で防止するしかないため信頼性を高めることができなかった。
また、図６（ｃ）に示すように、カードフレーム９９内に収容された電気泳動表示モジュール９０は樹脂９５でモールドされているが駆動回路基板９４はむき出しのままなので、駆動回路基板９４に対する防湿対策は弱く、信頼性が弱いという問題がある。
【０００７】
さらに、耐湿性を向上する目的でフレームや保護パネルに耐震度や水分進入を防止する材料を使う場合も、材料制限により望みの特性が出ないという問題もあった。
【０００８】
本発明は、上記従来技術の問題点に鑑み成されたものであって、防湿性を確保するとともに表示エリアの配置位置の自由度を高め、信頼性を向上させた表示装置を提供することを目的の一つとしている。
【課題を解決するための手段】
【０００９】
本発明の表示装置は、上記課題を解決するために、表示パネルと、前記表示パネルの表示面側に配置される第１フレームと、前記表示パネルの前記第１フレームとは反対側に配置される第２フレームと、を有する保護ケースと、少なくとも前記第１フレームおよび前記第２フレームの前記表示パネル側の内面にそれぞれ設けられる防湿層と、を備えたことを特徴とする。
【００１０】
本発明によれば、第１フレームおよび第２フレームの表示パネル側の内面に防湿層をそれぞれ設けたことから、保護ケース内に収容された表示パネルに対する防湿性を確保するとともに表示エリアの配置位置の自由度が高められ、信頼性を向上させた表示装置を得ることができる。
【００１１】
また、前記防湿層が、前記第１フレームおよび前記第２フレームの外面にそれぞれ設けられていることが好ましい。
本発明によれば、防湿層が第１フレームおよび第２フレームの外面にもそれぞれ設けられていることから、保護ケースの内外に設けられた防湿層によって表示パネルを二重に封止することができ防湿性が向上する。
【００１２】
また、前記防湿層が蒸着膜からなることが好ましい。
本発明によれば、防湿層が蒸着膜からなることから隙間のない緻密な薄膜となり、高い防湿特性が得られる。
【００１３】
また、前記防湿層が、前記保護ケースの封止空間内に配置される前記表示パネルおよび当該表示パネルに接続される駆動回路基板の全体を覆うようにして形成されていることが好ましい。
本発明によれば、保護ケースの封止空間内に、表示パネルと駆動回路基板とが配置されていることから、表示パネルだけでなく駆動回路基板に対する防湿性も確保することが可能となり、動作不良などが生じにくくなり信頼性が向上する。
【００１４】
また、前記保護ケースの外面全体に前記防湿層が形成されていることが好ましい。
本発明によれば、保護ケースの内外の防湿層によって二重の防湿構造とすることができるので、防湿効果がより一層高められて電気泳動表示装置の長期的な信頼性を得ることができる。
【００１５】
また、前記防湿層の水分透過レベルを０．１ｇ／ｍ２・２４Ｈ（４０℃／９０％）以下とすることが好ましい。
本発明によれば、防湿層の水分透過レベルを上記数値以下とすることでより一層防湿効果が高められ、信頼性が向上する。
【００１６】
また、前記表示パネルが一対の基板間に電気泳動層を挟持してなる電気泳動表示パネルであることが好ましい。
本発明によれば、表示パネルが電気泳動表示パネルであることから、落球試験や曲げ試験等において電気泳動層の破損が防止されるので高信頼性の表示装置が得られる。
【図面の簡単な説明】
【００１７】
【図１】第１実施形態の電気泳動表示装置の全体構成を示す断面図。
【図２】（ａ）第１実施形態の電気泳動表示パネルの概略構成を示す部分拡大断面図、（ｂ）マイクロカプセルの概略構成を示す断面図、（ｃ）保護ケースの構成を示す断面図。
【図３】第２実施形態の電気泳動表示装置の概略構成を示す断面図。
【図４】第３実施形態の電気泳動表示装置の概略構成を示す断面図。
【図５】第４実施形態の電気泳動表示装置の概略構成を示す断面図。
【図６】従来の電気泳動表示装置の概略構成を示す断面図。
【発明を実施するための形態】
【００１８】
以下、本発明の実施形態につき、図面を参照して説明する。なお、以下の説明に用いる各図面では、各部材を認識可能な大きさとするため、各部材の縮尺を適宜変更している。
【００１９】
［第１実施形態］
図１は、本発明の表示装置の一実施形態である電気泳動表示装置の全体構成を示している。図２（ａ）は電気泳動表示パネル２の概略構成を示す部分拡大断面図、（ｂ）はマイクロカプセルの概略構成を示す断面図、（ｃ）保護ケースの構成を示す断面図である。
【００２０】
電気泳動表示装置（表示装置）１００は、図１に示すように、電気泳動表示パネル２（表示パネル）と、フレキシブル基板３と、駆動回路基板４と、が保護ケース５内に収容された構成となっている。電気泳動表示パネル２にはフレキシブル基板３を介して駆動回路基板４が接続されている。
【００２１】
電気泳動表示パネル２は、図２（ａ）に示すように、透明基板１４（第１基板）と素子基板１５（第２基板）との間に複数のマイクロカプセル２０を配列してなる電気泳動層３２が挟持されて構成されている。
【００２２】
素子基板１５は、ガラスやプラスチック等からなる基板であり、画像表示面とは反対側に配置されるため透明なものでなくてもよい。素子基板１５の表面上には、不図示の選択トランジスタ、走査線、データ線などが形成された回路層３４が形成されており、この回路層３４の最表層に画素電極３５が配列形成されている。画素電極３５は、ＭｇＡｇ、ＩＴＯ、ＩＺＯ（インジウム・亜鉛酸化物）などから形成された透明電極である。
本実施形態では、素子基板１５として、厚さ１００μｍの無アルカリガラスＡＮ１００（旭硝子社製）を用いている。
【００２３】
一方、透明基板１４は、ガラスやプラスチック等からなる基板であり、画像表示側に配置されるため透明基板とされる。透明基板１４の電気泳動層３２側には複数の画素電極３５と対向する共通電極（図示略）が形成されており、共通電極上に電気泳動層３２が設けられている。共通電極は、画素電極３５とともに電気泳動層３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
【００２４】
電気泳動層３２は、透明基板１４と、透明基板１４上に固定された複数のマイクロカプセル２０とにより電気泳動シートとして取り扱われるのが一般的である。製造工程において、電気泳動シートは接着層３３の表面に保護用の離型シートが貼り付けられた状態で取り扱われる。そして、別途製造された素子基板１５（画素電極３５や各種回路などが形成されている）に対して離型シートを剥がした電気泳動シートを貼り付けることによって表示部が形成される。本実施形態における電気泳動層３２の厚さは約２３０μｍである。
【００２５】
マイクロカプセル２０は、図２（ｂ）に示すように、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、共通電極と画素電極３５とで挟持され、１つの画素４０内に１つ又は複数のマイクロカプセル２０が配置される。
【００２６】
マイクロカプセル２０の外殻部（壁膜）は、ポリメタクリル酸メチル、ポリメタクリル酸エチルなどのアクリル樹脂、ユリア樹脂、アラビアゴムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００２７】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６および白色粒子２７に代えて、例えば赤色、緑色、青色などの顔料を用いてもよい。かかる構成によれば、表示部に赤色、緑色、青色などを表示することができる。
【００２８】
このような構成の電気泳動表示パネル２は、図１に示すような保護ケース５内に収容されてその全体が封止されている。
【００２９】
保護ケース５は、図１に示したように、板状の第１フレーム５１と有底箱型を呈する第２フレーム５２とからなり、第１フレーム５１と第２フレーム５２とによって形成される封止空間Ｋ内にフレキシブル基板３を介して接続された電気泳動表示パネル２と駆動回路基板４とが収容されている。
【００３０】
第１フレーム５１および第２フレーム５２は電気泳動表示パネル２を挟み込むようにして配置されて保護ケース５を構成するものであって、ポリカーボネイト（ＰＣ）、塩化ビニル（ＰＶＣ）あるいはＰＥＴ等のシート材からなる。ここで、第１フレーム５１は電気泳動表示パネル２の表示面側に配置され、第２フレーム５２は電気泳動表示パネル２の表示面とは反対側の裏面側に配置され、各々の周縁部どうしが熱融着によって接合されている。
【００３１】
第２フレーム５２には、上記電気泳動表示パネル２等を配置させるための凹部５２Ａが形成されており、電気泳動表示パネル２や駆動回路基板４の大きさ、当該駆動回路基板４の数などに応じて適宜変更が可能である。第１フレーム５１は、上記第２フレーム５２の凹部５２Ａの開口側を塞ぐようにして当該第２フレーム５２上に載置される。これら第１フレーム５１および第２フレーム５２には防湿層５５，５６が設けられている。
【００３２】
防湿層５５は、図２（ｃ）に示すように、少なくとも第１フレーム５１の内面５１ａ（電気泳動表示パネル２側の面）であって周縁部を除いた中央部分に貼り付けられている。具体的にこの防湿層５５は第２フレーム５２の凹部５２Ａの開口面積に対応した大きさを有している。
【００３３】
防湿層５６は、第２フレーム５２の内面全体、つまり、凹部５２Ａの底面５２ｃから側面５２ｂにかけてこれらを覆うようにして貼り付けられている。凹部５２Ａの開口側の防湿層５６の端部は、図１に示したように保護ケース５が完成された状態において第１フレーム５１側の防湿層５５と繋がっている。これにより、第１フレーム５１および第２フレーム５２によって形成される封止空間Ｋ全体が防湿層５５，５６で囲われた防湿構造とされている。つまり、封止空間Ｋ内に配置される電気泳動表示パネル２およびこれに接続される駆動回路基板４の全体を覆うようにして防湿層５５，５６が形成されている。
【００３４】
防湿層５５，５６は、無機膜が形成された複数のフィルムが接着剤を介して積層されてなる多層フィルムタイプの防湿層からなり、例えば、シリカやアルミナ等の透明で且つ防湿性を有する無機膜をポリカーボネートやＰＥＴのような有機フィルムに形成することによって防湿性能を付加したフィルム製のものである。
【００３５】
具体的に防湿層５５，５６は、厚さ１５〜２５μｍのＰＥＴ基材にＳｉＯ２などをスパッタした蒸着シート（蒸着膜）を３〜５層に積層してなるもので、水分の透水率が０．０５ｇ／ｍ２・２４Ｈ（４０℃／９０％）以下とされている。
【００３６】
［製造方法］
以下、本実施形態の電気泳動表示装置の製造方法について説明する。
まず、ＰＣ（ポリカ−ボネイト）、ＰＶＣ（塩化ビニル）或いはＰＥＴ等のシ−ト材料で作った第２フレーム５２の凹部５２Ａの底面５２ｃと側面５２ｂに、１５〜２５μｍのＰＥＴ基材にＳｉＯ２等をスパッタしそれらシートを３〜５層に積層した透水率０．０５グラム/ｍ２・２４Ｈ（４０度／９０％）以下の防湿層５６（防湿フィルム）を貼る。
次に、各フレーム５２と同じ材料で出来た厚み約２００μｍの平板からなる第１フレーム５１の内面５１ａに印刷等デザインした化粧パネルのカード内側面に前述の防湿層５５（防湿フィルム）を貼り合せる。
次に、電気泳動層３２を、画素回路を形成した素子基板１５とＰＥＴからなる基板にＩＴＯを蒸着した透明基板１４で挟み込み、素子基板１５上に設けられた入出力端子をフレキシブル基板３で表示をコントロールする駆動回路基板４と接続する。
この電気泳動表示パネル２を前述の保護ケース５に投げ込み固定し、第１フレーム５１を第２フレーム５２に被せ、第１フレーム５１および第２フレーム５２の周縁部どうしを１５０〜１８０℃の熱を加えて溶着させて接合させる。第１フレーム５１と第２フレーム５２とが熱溶着により接合されていることから、接合部分からの水分の浸入が阻止されて高い防湿効果が得られる。
このようにして得られる電気泳動表示装置１００においては、防湿層５５，５６により電気泳動表示パネル２及び駆動回路基板４、電池を保護することで、耐湿性が高く、表示エリアも広く、且製品寿命の長い電気泳動表示装置１００となり、ＩＣカードに好適に用いることができる。
【００３７】
本実施形態の電気泳動表示装置１００は、保護ケース５の内側に防湿層５５，５６を設けることによって、電気泳動表示パネル２だけでなくフレキシブル基板３や駆動回路基板４の防湿性も確保できる。
また、従来のように電気泳動表示パネル２の外周を覆っていた防湿層が不要になるのでフィルムの封止部分がなくなる。これにより、非表示エリアを狭くして表示エリアを広く確保することが可能になるだけでなく、表示部の配置位置の制限も緩和されて設計自由度が増すという効果が得られる。
【００３８】
また、保護ケース５自体に防湿性を付与するのは材料を選定する上で困難であるが、本実施形態の構成によれば、保護ケース５やその他の部材に防湿性を付与する必要がないため、材料の選択幅が広がるとともにコストも削減できる。
【００３９】
また、本実施形態の防湿層５５，５６の水分透過レベルは、０．０５ｇ／ｍ２・２４Ｈ（４０℃／９０％）以下とされている。これにより、防湿効果がより一層高められて信頼性が向上する。
【００４０】
したがって、本実施形態の構成によれば、耐湿性が高く、表示エリアも広く、かつ、製品寿命の長い高信頼性の電気泳動表示装置１００が得られる。このような電気泳動表示装置１００はＩＣカードとして好適に用いることが可能である。
【００４１】
［第２実施形態］
図３は、本発明の表示装置にかかる第２実施形態の電気泳動表示装置２００の概略構成を示す断面図である。
図３に示すように、本実施形態の電気泳動表示装置２００は、少なくとも第１フレーム５１の内面５１ａと第２フレーム５２の底面５２ｃのみに防湿層５５，５６が設けられた構成となっている。
先の実施形態では、第２フレーム５２の凹部５２Ａの内壁面全体（底面５２ｃおよび側面５２ｂ）に防湿層５６が設けられていたが、凹部５２Ａの底面５２ｃのみに設けられていてもよい。
【００４２】
保護ケース５の側方における防湿性は、第２フレーム５２の側壁部分の樹脂厚によって確保することが可能である。第２フレーム５２の側壁部５２Ｂは底部５２Ｃや第１フレーム５１の樹脂厚（板厚）に比べて倍以上、本実施形態では３倍程度の厚みを有している。このため、第１フレーム５１や第２フレーム５２の底部５２Ｃと比較すると防湿性が高い。よって、少なくとも第１フレーム５１の内面５１ａおよび第２フレーム５２の凹部５２Ａ内の底面５２ｃに防湿層５５，５６を設けることで電気泳動表示パネル２等に対する防湿性を確保した構成となっている。
【００４３】
このような本実施形態の電気泳動表示装置２００を製造する際には、まず、防湿層５６を第２フレーム５２の凹部５２Ａの底面５２ｃのみに貼り、また、第１フレーム５１の内面５１ａに防湿層５５を貼り、前述の電気泳動表示パネル２を第２フレーム５２の凹部５２Ａ内の底面５２ｃ上（防湿層５６上）に載置させて固定し、この凹部５２Ａの開口を塞ぐようにして第１フレーム５１を被せて第２フレーム５２と熱溶着させて保護ケース５を製造する。このようにして本実施形態の電気泳動表示装置２００を得る。
【００４４】
本実施形態の構成によれば、少なくとも保護ケース５の防湿性が低い部分に防湿層５５，５６を設けるようにすることで電気泳動表示パネル２等に対する防湿性が確保される。また、第２フレーム５２の側面５２ｂに防湿層５６がないことで、表示エリアをより広くとることができる。
【００４５】
［第３実施形態］
図４は第３実施形態の電気泳動表示装置の概略構成を示す断面図である。
図４に示すように、本実施形態の電気泳動表示装置３００は、保護ケース５の外面全体に防湿層５７が貼り付けられている。先の実施形態では、保護ケース５の内側に防湿層が貼り付けられていたが、本実施形態では保護ケース５の内面には防湿層を設けず、保護ケース５の外面全体を覆うようにして防湿層５７が貼り付けられている。
【００４６】
防湿層５７は、第１フレーム５１と第２フレーム５２とが熱融着によって接合されて保護ケース５が構成された後に貼り付けられる。防湿層５７は、複数の防湿層からなっていてもいいし、１枚の防湿層からなっていてもよく、各端部同士が確実に繋がっていて隙間がない状態（一体）となっている。
【００４７】
本実施形態の電気泳動表示装置３００を製造する際には、第２フレーム５２の凹部５２Ａ内に電気泳動表示パネル２を配置して固定し、第１フレーム５１と第２フレーム５２とを熱溶着させて完成させた保護ケース５の周囲全体を覆うようにして前述の防湿層５７を貼り付ける。このようにして本実施形態の電気泳動表示装置３００を得る。
【００４８】
本実施形態の構成によれば、保護ケース５の外周面全体を覆うようにして防湿層５７が設けられているので、内側に防湿層を形成する場合よりも製造が容易になるとともに、外側から視認することができるので、防湿層５７の欠陥を早期に発見して改善することができる。また、保護ケース５を解体することなく防湿層５７の劣化状態などを随時確認することができるため、メンテナンスが容易となり、電気泳動表示パネル２に対する防湿性を長期的に確保することができる。
したがって、本実施形態の構成によれば、表示エリアを拡大化し、かつ、製品寿命を高めることができる。
【００４９】
［第４実施形態］
図５は、第４実施形態の電気泳動表示装置の概略構成を示す断面図である。
図５に示すように、本実施形態の電気泳動表示装置４００は、保護ケース５の表裏面側のみに防湿層５８，５９が設けられている。先に記載した第３実施形態では保護ケース５の周囲全体を覆うようにして防湿層が設けられていたが、本実施形態では保護ケース５の第１フレーム５１の外面５１ｄ全体と第２フレーム５２の外面５２ｄ全体に防湿層５８，５９が設けられている。保護ケース５の側方における防湿性は、第２実施形態で述べたように、第１フレーム５１および第２フレーム５２の底部に比べて第２フレーム５２の側壁部５２Ｂの樹脂厚が厚くなっているため、上記第１フレーム５１および第２フレーム５２の底部５２Ｃよりも防湿性が高い。
【００５０】
よって、少なくとも保護ケース５のうち防湿性が低くなりやすい部分（第１フレーム５１の外面５１ｄおよび第２フレーム５２の外面５２ｄ）に防湿層５８，５９を設けることによって、内部に収容された電気泳動表示パネル２等に対する防湿性は確保される。
【００５１】
本実施形態の電気泳動表示装置４００を製造する場合には、第２フレーム５２の凹部５２Ａ内に電気泳動表示パネル２を配置して固定し、第１フレーム５１と第２フレーム５２とを熱溶着させることによって保護ケース５を形成し、保護ケース５の表裏面のみに防湿層５８，５９を貼り付けることによって本実施形態の電気泳動表示装置４００を製造する。
【００５２】
本実施形態の構成によれば、保護ケース５の外側の側周面における防湿層を省くことで先に記載の第３実施形態の電気泳動表示装置に比べて容易に製造することが可能となる。また、材料にかかるコストも低減することができる。
したがって、本実施形態の構成によれば、表示エリアを拡大化し、かつ、製品寿命を高めることができる。
【００５３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００５４】
先の実施形態では、保護ケースの内側か保護ケースの外側のいずれかに防湿層を設けた構成についてそれぞれ述べたが、保護ケースの内側と外側の両方に防湿層を設けて二重封止構造としてもよい。
【００５５】
また、保護ケース５の構成は上述したものに限られることなく、例えば、一対の第１フレーム５１と、これら第１フレーム５１の間に配置され電気泳動表示パネル２を収容するための貫通孔が形成された第３フレームと、を有して保護ケースが構成されていてもよい。
【符号の説明】
【００５６】
１００，２００，３００，４００  電気泳動表示装置（表示装置）、２  電気泳動表示パネル（表示パネル）、５  保護ケース、７  表示エリア、８  非表示エリア、 Ｋ  封止空間、３２  電気泳動層、５１  第１フレーム、５１ａ  内面、５１ｄ  外面、５２  フレーム、５２  第２フレーム、５２Ａ  凹部、５２Ｂ  側壁部、５２Ｃ  底部、５２ｂ  側面、５２ｃ  底面、５２ｄ  外面、５５，５６，５７，５８  防湿層 
【図１】
2011180361.tif 000003
【図２】
2011180361.tif 000004
【図３】
2011180361.tif 000005
【図４】
2011180361.tif 000006
【図５】
2011180361.tif 000007
【図６】
2011180361.tif 000008